(57)【要約】  ピアツーピア通信をおこなう携帯電話（５０，６０）と、携帯電話（５０，６０）の認証が成功した場合に携帯電話（５０，６０）をインターネットに接続することにより携帯電話（５０，６０）とインターネットに接続されたコンテンツ提供者サーバ（１０）あるいは企業サーバ（２０，３０）との間の通信を中継するアクセスポイント装置（４０）との間においてデータ通信をおこない、あるいは、携帯電話（５０，６０）間の通信の可否を判定し、通信が可であると判定された場合に携帯電話（５０，６０）間においてデータ通信をおこない、データ通信をおこなった場合に、通信情報管理装置（７０）が、当該データ通信に係る情報を記憶し、記憶した情報に基づいて、携帯電話（５０，６０）あるいはアクセスポイント装置（４０）がおこなったデータ通信に対する対価の付与をおこなう。【特許請求の範囲】
【請求項１】
ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理方法であって、
前記無線通信装置と中継装置との間におけるデータ通信、あるいは、前記無線通信装置間のデータ通信の可否を判定し、データ通信が可であると判定された場合に無線通信装置間におけるデータ通信をおこなう通信工程と、
前記通信工程によりデータ通信がおこなわれた場合に、当該データ通信に係る情報を記憶する情報記憶工程と、
前記情報記憶工程により記憶された情報に基づいて前記無線通信装置あるいは中継装置がおこなったデータ通信に対する対価の付与をおこなう対価付与工程と、
を含んだことを特徴とする通信情報管理方法。
【請求項２】
前記通信工程は、前記無線通信装置から前記所定のネットワークに接続された装置に対してデータをアップロードするデータ通信をおこなうことを特徴とする請求項１に記載の通信情報管理方法。
【請求項３】
前記通信工程は、前記所定のネットワークに接続された装置から前記無線通信装置にデータがダウンロードされた場合に、ダウンロードされたデータのうち、更新されたデータ部分をアップロードすることを特徴とする請求項２に記載の通信情報管理方法。
【請求項４】
前記無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることを特徴とする請求項１、２または３に記載の通信情報管理方法。
【請求項５】
ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間の通信を中継する中継装置がおこなうデータ通信に係る情報を管理する通信情報管理装置であって、
前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手段と、
前記情報記憶手段に記憶された情報に基づいて前記無線通信装置あるいは中継装置がおこなったデータ通信に対する対価の付与をおこなう対価付与手段と、
を備えたことを特徴とする通信情報管理装置。
【請求項６】
他の装置との間で無線通信をおこなう無線通信装置であって、
ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手段と、
前記記憶手段により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手段により記憶されたデータを送信するデータ送信手段と、
前記データ送信手段によりなされたデータ送信に係る情報を前記通信情報管理装置に送信するデータ送信情報送信手段と、
を備えたことを特徴とする無線通信装置。
【請求項７】
ピアツーピア通信をおこなう無線端末装置間の通信可否の判定をおこない、かつ、データの送信に対する対価の付与をおこなう通信情報管理装置によりデータ通信の実行許可を受けた場合にピアツーピア通信をおこなう無線通信装置の認証が成功した際、当該無線通信装置を所定のネットワークに接続することにより無線通信装置と当該ネットワークに接続された他の装置との間のデータ通信を中継する中継装置であって、
前記ネットワークに接続された他の装置により送信されたデータ、あるいは、前記無線通信装置により送信されたデータを記憶する記憶手段と、
前記記憶手段にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手段と、
前記データ送信手段によりなされたデータ送信に係る情報を前記通信情報管理装置に送信するデータ送信情報送信手段と、
を備えたことを特徴とする中継装置。
【請求項８】
ピアツーピア通信をおこなう無線通信装置がおこなうデータ通信に係る情報、あるいは、前記無線通信装置の認証が成功した場合に当該無線通信装置を所定のネットワークに接続することにより前記無線通信装置と当該ネットワークに接続された他の装置との間のデータ通信を中継する中継装置がおこなうデータ通信に係る情報を管理する通信情報管理プログラムであって、
前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手順と、
前記情報記憶手順に記憶された情報に基づいて前記無線通信装置あるいは中継装置がおこなったデータ通信に対する対価の付与をおこなう対価付与手順と、
をコンピュータに実行させることを特徴とする通信情報管理プログラム。
【請求項９】
他の装置との間で無線通信をおこなう無線通信プログラムであって、
ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手順と、
前記記憶手順により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手順により記憶されたデータを送信するデータ送信手順と、
前記データ送信手順によりなされたデータ送信に係る情報を前記通信情報管理装置に送信するデータ送信情報送信手順と、
をコンピュータに実行させることを特徴とする無線通信プログラム。
【請求項１０】
ピアツーピア通信をおこなう無線端末装置間の通信可否の判定をおこない、かつ、データの送信に対する対価の付与をおこなう通信情報管理装置によりデータ通信の実行許可を受けた際にピアツーピア通信をおこなう無線通信装置の認証が成功した場合に、当該無線通信装置を所定のネットワークに接続することにより無線通信装置と当該ネットワークに接続された他の装置との間のデータ通信を中継する中継プログラムであって、
前記ネットワークに接続された他の装置により送信されたデータ、あるいは、前記無線通信装置により送信されたデータを記憶する記憶手順と、
前記記憶手順にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手順と、
前記データ送信手順によりなされたデータ送信に係る情報を前記通信情報管理装置に送信するデータ送信情報送信手順と、
をコンピュータに実行させることを特徴とする中継プログラム。
【請求項１１】
ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理システムであって、
前記無線通信装置と中継装置との間におけるデータ通信、あるいは、前記無線通信装置間のデータ通信の可否を判定し、データ通信が可であると判定された場合に無線通信装置間においてデータ通信をおこなう通信手段と、
前記通信手段によりデータ通信がおこなわれた場合に、当該データ通信に係る情報を記憶する情報記憶手段と、
前記情報記憶手段により記憶された情報に基づいて前記無線通信装置あるいは中継装置がおこなったデータ通信に対する対価の付与をおこなう対価付与手段と、
を備えたことを特徴とする通信情報管理システム。
【発明の詳細な説明】
【技術分野】
【０００１】
本発明は、ピアツーピア通信をおこなう無線通信装置がおこなう通信、あるいは、無線通信装置の認証が成功した場合に当該無線通信装置を所定のネットワークに接続することにより無線通信装置と当該ネットワークに接続された他の装置との間の通信を中継する中継装置がおこなう通信に係る情報を管理する通信情報管理方法、通信情報管理装置、通信情報管理プログラム、通信情報管理システム、無線通信装置、無線通信プログラム、中継装置、中継プログラムに関し、特に、データを特定の装置間でのみ流通させることのできる信頼性の高いサービスを、当該サービスを提供する事業者の利益を考慮しつつ、実現することができる通信情報管理方法、通信情報管理装置、無線通信装置、中継装置、通信情報管理プログラム、無線通信プログラム、中継プログラムおよび通信情報管理システムに関する。
【背景技術】
【０００２】
従来、携帯電話やパーソナルコンピュータなどの複数の情報端末間で、ＩｒＤＡなどの規格による赤外線通信、ＩＥＥＥ８０２．１Ｘなどの規格による無線ＬＡＮ通信、または、Ｂｌｕｅｔｏｏｔｈ通信などの通信方式を用いた通信が実現されている。【０００３】
特に、広く普及している携帯電話においては、通常の公衆回線の通信速度が遅いため、上述したような通信方式を用いた携帯電話間でのピアツーピア通信が注目されてきているが、携帯電話サービスを提供するキャリアとの間で競合することなどから、普及が伸び悩んでいる。【０００４】
このような状況を打破するため、ピアツーピア通信によるコンテンツの配信技術がいくつか考案されている。たとえば、無線端末がコンテンツ配信サーバからコンテンツの配信を受け、そのコンテンツを他の無線端末に転送した場合に、コンテンツの転送をおこなった無線端末に対して当該コンテンツを購入する際に割引を受けるためのクーポンまたはポイントを発行するピアツーピア通信方法が提案されている（たとえば、特許文献１を参照）。【０００５】
また、アドホックネットワークを構成する起点端末から終点端末にデータを中継端末を介して送信した場合に、中継端末の中継に対して正当な対価を与える課金方法が提案されている（たとえば、特許文献２を参照）。【０００６】
【特許文献１】特開２００３−３３３０７９号公報
【特許文献２】特開２００２−２０９０２８号公報
【発明の開示】
【発明が解決しようとする課題】
【０００７】
しかしながら、上述した従来技術では、企業のデータを特定の端末間でのみ流通させるサービスを事業者が提供することが難しいという問題があった。【０００８】
すなわち、上記方法では、コンテンツが複数の端末を経由して送信されたような場合に、コンテンツがどのようなルートで送信されたかを把握することができず、コンテンツの流通を制限することができなかった。【０００９】
具体的には、上述したピアツーピア通信方法では、コンテンツが複数の端末を経由して送信された際、コンテンツ配信サーバの通信圏から外れた場合には、コンテンツがどの端末に送信されたかを調べることができず、コンテンツをあらかじめ決められた端末間のみで流通させることができない。【００１０】
また、上述した課金方法は、課金端末がデータの中継をおこなった中継端末に対して対価を設定するだけであり、コンテンツの流通を制御するものではなかった。【００１１】
そのため、企業のデータを特定の端末間でのみ流通させることのできる信頼性の高いサービスを、当該サービスを提供するサービス提供者の利益を考慮しつつ、実現することができる技術の開発が重要な課題となっている。【００１２】
本発明は、上記課題を解決するためになされたものであって、データを特定の装置間でのみ流通させることのできる信頼性の高いサービスを、当該サービスを提供するサービス提供者の利益を考慮しつつ、実現することができる通信情報管理方法、通信情報管理装置、無線通信装置、中継装置、通信情報管理プログラム、無線通信プログラム、中継プログラムおよび通信情報管理システムを提供することを目的とする。
【課題を解決するための手段】
【００１３】
上述した課題を解決し、目的を達成するために、本発明は、ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理方法であって、前記無線通信装置と中継装置との間におけるデータ通信、あるいは、前記無線通信装置間のデータ通信の可否を判定し、データ通信が可であると判定された場合に無線通信装置間におけるデータ通信をおこなう通信工程と、前記通信工程によりデータ通信がおこなわれた場合に、当該データ通信に係る情報を記憶する情報記憶工程と、前記情報記憶工程により記憶された情報に基づいて前記無線通信装置あるいは中継装置がおこなったデータ通信に対する対価の付与をおこなう対価付与工程と、を含んだことを特徴とする。【００１４】
また、本発明は、上記発明において、前記通信工程は、前記無線通信装置から前記所定のネットワークに接続された装置に対してデータをアップロードするデータ通信をおこなうことを特徴とする。【００１５】
また、本発明は、上記発明において、前記通信工程は、前記所定のネットワークに接続された装置から前記無線通信装置にデータがダウンロードされた場合に、ダウンロードされたデータのうち、更新されたデータ部分をアップロードすることを特徴とする。【００１６】
また、本発明は、上記発明において、前記無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることを特徴とする。【００１７】
また、本発明は、ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間の通信を中継する中継装置がおこなうデータ通信に係る情報を管理する通信情報管理装置であって、前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手段と、前記情報記憶手段に記憶された情報に基づいて前記無線通信装置あるいは中継装置がおこなったデータ通信に対する対価の付与をおこなう対価付与手段と、を備えたことを特徴とする。【００１８】
また、本発明は、他の装置との間で無線通信をおこなう無線通信装置であって、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手段と、前記記憶手段により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手段により記憶されたデータを送信するデータ送信手段と、前記データ送信手段によりなされたデータ送信に係る情報を前記通信情報管理装置に送信するデータ送信情報送信手段と、を備えたことを特徴とする。【００１９】
また、本発明は、ピアツーピア通信をおこなう無線端末装置間の通信可否の判定をおこない、かつ、データの送信に対する対価の付与をおこなう通信情報管理装置によりデータ通信の実行許可を受けた場合にピアツーピア通信をおこなう無線通信装置の認証が成功した際、当該無線通信装置を所定のネットワークに接続することにより無線通信装置と当該ネットワークに接続された他の装置との間のデータ通信を中継する中継装置であって、前記ネットワークに接続された他の装置により送信されたデータ、あるいは、前記無線通信装置により送信されたデータを記憶する記憶手段と、前記記憶手段にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手段と、前記データ送信手段によりなされたデータ送信に係る情報を前記通信情報管理装置に送信するデータ送信情報送信手段と、を備えたことを特徴とする。【００２０】
また、本発明は、ピアツーピア通信をおこなう無線通信装置がおこなうデータ通信に係る情報、あるいは、前記無線通信装置の認証が成功した場合に当該無線通信装置を所定のネットワークに接続することにより前記無線通信装置と当該ネットワークに接続された他の装置との間のデータ通信を中継する中継装置がおこなうデータ通信に係る情報を管理する通信情報管理プログラムであって、前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手順と、前記情報記憶手順に記憶された情報に基づいて前記無線通信装置あるいは中継装置がおこなったデータ通信に対する対価の付与をおこなう対価付与手順と、をコンピュータに実行させることを特徴とする。【００２１】
また、本発明は、他の装置との間で無線通信をおこなう無線通信プログラムであって、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手順と、前記記憶手順により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手順により記憶されたデータを送信するデータ送信手順と、前記データ送信手順によりなされたデータ送信に係る情報を前記通信情報管理装置に送信するデータ送信情報送信手順と、をコンピュータに実行させることを特徴とする。【００２２】
また、本発明は、ピアツーピア通信をおこなう無線端末装置間の通信可否の判定をおこない、かつ、データの送信に対する対価の付与をおこなう通信情報管理装置によりデータ通信の実行許可を受けた際にピアツーピア通信をおこなう無線通信装置の認証が成功した場合に、当該無線通信装置を所定のネットワークに接続することにより無線通信装置と当該ネットワークに接続された他の装置との間のデータ通信を中継する中継プログラムであって、前記ネットワークに接続された他の装置により送信されたデータ、あるいは、前記無線通信装置により送信されたデータを記憶する記憶手順と、前記記憶手順にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手順と、前記データ送信手順によりなされたデータ送信に係る情報を前記通信情報管理装置に送信するデータ送信情報送信手順と、をコンピュータに実行させることを特徴とする。【００２３】
また、本発明は、ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理システムであって、前記無線通信装置と中継装置との間におけるデータ通信、あるいは、前記無線通信装置間のデータ通信の可否を判定し、データ通信が可であると判定された場合に無線通信装置間においてデータ通信をおこなう通信手段と、前記通信手段によりデータ通信がおこなわれた場合に、当該データ通信に係る情報を記憶する情報記憶手段と、前記情報記憶手段により記憶された情報に基づいて前記無線通信装置あるいは中継装置がおこなったデータ通信に対する対価の付与をおこなう対価付与手段と、を備えたことを特徴とする。
【発明の効果】
【００２４】
本発明によれば、ピアツーピア通信をおこなう無線通信装置と、無線通信装置の認証が成功した場合に無線通信装置を所定のネットワークに接続することにより無線通信装置と当該ネットワークに接続された他の装置との間のデータ通信を中継する中継装置との間におけるデータ通信、あるいは、無線通信装置間の通信の可否を判定し、通信が可であると判定された場合に無線通信装置間におけるデータ通信をおこない、データ通信をおこなった場合に、当該データ通信に係る情報を記憶し、記憶した情報に基づいて、無線通信装置あるいは中継装置がおこなったデータ通信に対する対価の付与をおこなうこととしたので、データを特定の装置間でのみ流通させることのできる信頼性の高いサービスを、当該サービスを提供する事業者の利益を考慮しつつ、実現することができるという効果を奏する。【００２５】
また、本発明によれば、無線通信装置から所定のネットワークに接続された装置に対してデータをアップロードするデータ通信をおこなうこととしたので、データのダウンロードだけでなく、アップロードもおこなうことにより、質問表をダウンロードさせ、それに対する回答をアップロードしてもらうアンケート調査などを容易に実行できるという効果を奏する。【００２６】
また、本発明によれば、所定のネットワークに接続された装置から無線通信装置にデータがダウンロードされた場合に、ダウンロードされたデータのうち、更新されたデータ部分をアップロードすることとしたので、アップロードのデータ転送速度の低さを補い、アップロードを短い時間で完了させることができるという効果を奏する。【００２７】
また、本発明によれば、無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることとしたので、無線通信装置と中継装置との間で高速なデータ通信を用いることにより、大量のデータを送受信することができるという効果を奏する。【００２８】
また、本発明によれば、ピアツーピア通信をおこなう無線通信装置と、無線通信装置の認証が成功した場合に無線通信装置を所定のネットワークに接続することにより無線通信装置と当該ネットワークに接続された他の装置との間のデータ通信を中継する中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶し、記憶した情報に基づいて無線通信装置あるいは中継装置がおこなったデータ通信に対する対価の付与をおこなうこととしたので、データを特定の装置間でのみ流通させることのできる信頼性の高いサービスを、当該サービスを提供する事業者の利益を考慮しつつ、実現することができるという効果を奏する。【００２９】
また、本発明によれば、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶し、記憶したデータを中継装置に対して送信し、あるいは、無線端末装置の通信可否の判定をおこない、かつ、データの送信に対する対価の付与をおこなう通信情報管理装置にデータ通信の可否を照会し、照会の結果データ通信が可であると判定された無線通信装置にデータを送信し、そのデータ送信に係る情報を通信情報管理装置に送信することとしたので、データを特定の装置間でのみ流通させることのできる信頼性の高いサービスを、当該サービスを提供する事業者の利益を考慮しつつ、実現することができるという効果を奏する。【００３０】
また、本発明によれば、ネットワークに接続された他の装置により送信されたデータ、あるいは、無線端末装置の通信可否の判定をおこない、かつ、データの送信に対する対価の付与をおこなう通信情報管理装置によりデータ通信の実行許可を受けた場合にピアツーピア通信をおこなう無線通信装置により送信されたデータを記憶し、ネットワークに接続された他の装置により送信されたデータが記憶された場合には、当該データを無線通信装置に、無線通信装置により送信されたデータが記憶された場合には、当該データをネットワークに接続された他の装置に送信し、そのデータ送信に係る情報を通信情報管理装置に送信することとしたので、データを特定の装置間でのみ流通させることのできる信頼性の高いサービスを、当該サービスを提供する事業者の利益を考慮しつつ、実現することができるという効果を奏する。
【図面の簡単な説明】
【００３１】
【図１】図１は、本発明に係る通信情報管理システムの概念を説明する図である。
【図２】図２は、図１に示した通信情報管理システムの機能構成を示す図である。
【図３】図３は、図２に示した契約者データ７３の一例を示す図である。
【図４】図４は、図２に示した契約プロバイダデータ７４の一例を示す図である。
【図５】図５は、アクセスポイント装置４０がおこなうコンテンツ転送処理の処理手順を示すフローチャートである。
【図６】図６は、携帯電話５０がおこなうコンテンツの送信処理の処理手順を示すフローチャートである。
【図７】図７は、通信情報管理装置７０がおこなう通信情報管理処理の処理手順を示すフローチャートである。
【図８】図８は、図１に示したアクセスポイント装置４０となるコンピュータのハードウェア構成を示す図である。
【図９】図９は、図１に示した携帯電話５０，６０となるコンピュータのハードウェア構成を示す図である。
【図１０】図１０は、図１に示した通信情報管理装置７０となるコンピュータのハードウェア構成を示す図である。
【符号の説明】
【００３２】
１０    コンテンツ提供者サーバ通信情報管理
２０，３０    企業サーバ
４０    アクセスポイント装置
４１    通信処理部
４２    記憶部
４３    コンテンツ
４４    インターネット接続処理部
４５    通信情報送信部
４６    制御部
５０，６０    携帯電話
５１    通信処理部
５２    記憶部
５３    コンテンツ
５４    通信可否照会部
５５    差分圧縮処理部
５６    通信情報送信部
５７    制御部
７０    通信情報管理装置
７１    通信処理部
７２    記憶部
７３    契約者データ
７４    契約プロバイダデータ
７５    コンテンツ提供者データ
７６    コンテンツ
７７    通信可否判定部
７８    課金処理部
７９    制御部
【発明を実施するための最良の形態】
【００３３】
以下に、本発明にかかる通信情報管理方法、通信情報管理装置、無線通信装置、中継装置、通信情報管理プログラム、無線通信プログラム、中継プログラムおよび通信情報管理システムの実施例を図面に基づいて詳細に説明する。なお、この実施例によりこの発明が限定されるものではない。
【実施例】
【００３４】
まず、本発明に係る通信情報管理システムの概念について説明する。図１は、本発明に係る通信情報管理システムの概念を説明する図である。【００３５】
図１に示すように、この通信情報管理システムは、コンテンツ提供者サーバ１０、企業サーバ２０，３０、アクセスポイント装置４０、携帯電話５０，６０および通信情報管理装置７０から構成されている。【００３６】
コンテンツ提供者サーバ１０は、インターネットを介して他の装置にコンテンツを提供するサーバ装置である。ここで、携帯電話５０，６０にコンテンツを提供する場合には、コンテンツ提供者サーバ１０は、アクセスポイント装置４０、あるいは、通信情報管理装置７０を経由してコンテンツを提供する。【００３７】
企業サーバ２０，３０は、企業がインターネットを介して他の装置との間でコンテンツの送受信をおこなうサーバ装置である。【００３８】
アクセスポイント装置４０は、インターネットプロバイダが設置した装置であり、携帯電話５０，６０をインターネットに接続する際のアクセスポイントとなる装置である。このアクセスポイント装置４０は、携帯電話５０，６０からインターネットへのアクセス要求を受け付け、認証が成功した場合にインターネットへのアクセスを許可する。【００３９】
携帯電話５０，６０は、無線通信により公衆回線を介してキャリア（携帯電話通信事業者）が設置した通信情報管理装置７０との間でデータ通信をおこなう携帯電話である。また、この携帯電話５０，６０は、無線ＬＡＮやＵＷＢ（Ultra  Wide  Band）、ＩｒＤＡ（Infrared  Data  Association）、Ｂｌｕｅｔｏｏｔｈなどの近距離無線通信により、アクセスポイント装置４０との間で双方向のデータ通信をおこなう。【００４０】
さらに、この携帯電話５０，６０は、他の携帯電話５０，６０との間でピアツーピア通信により双方向のデータ通信をおこない、アドホックネットワークを構築する。【００４１】
通信情報管理装置７０は、キャリアが設置したサーバ装置であり、キャリアと契約を結んでいる契約者の携帯電話５０，６０に対してコンテンツの提供をおこなう。【００４２】
また、この通信情報管理装置７０は、単に携帯電話５０，６０にコンテンツの提供をおこなうだけでなく、携帯電話５０，６０がコンテンツを他の携帯電話５０，６０に送信する場合に、携帯電話５０，６０に送信許可を与える。【００４３】
さらに、この通信情報管理装置７０は、コンテンツ提供者サーバ１０、アクセスポイント装置４０、携帯電話５０，６０がおこなったコンテンツの送信処理に係る情報を収集し、それぞれに対して対価を付与する。【００４４】
たとえば、コンテンツが、コンテンツ提供者サーバ１０からアクセスポイント装置４０を介して携帯電話５０に送信された場合には、コンテンツ提供者サーバ１０を有するコンテンツ提供者には、コンテンツを提供した対価としてマイナス課金が、売買手数料としてプラス課金がおこなわれ、それらの差額がコンテンツ提供者に支払われるか、あるいはコンテンツ提供者から徴収される。【００４５】
アクセスポイント装置４０を有するインターネットプロバイダに対しては、コンテンツを携帯電話５０，６０に送信した場合、あるいは、携帯電話５０，６０からコンテンツを受信してインターネットに転送した場合に、コンテンツを転送したことに対する対価としてマイナス課金がおこなわれ、対価が支払われる。【００４６】
また、コンテンツを他の携帯電話に転送した携帯電話５０の契約加入者には、コンテンツを転送したことに対する対価としてマイナス課金がおこなわれ、対価が支払われる。コンテンツを最終的に受信した携帯電話６０の契約加入者には、コンテンツの代金としてプラス課金がおこなわれ、料金が徴収される。【００４７】
このように、インターネットからアクセスポイント装置４０を介してコンテンツが携帯電話５０，６０に送信される場合、あるいは、携帯電話５０，６０からアクセスポイント装置４０を介してインターネットに接続された企業サーバ２０，３０などにコンテンツが送信される場合に、通信情報管理装置７０が、通信許可を与えることにより通信の信頼性を高め、また、コンテンツの送信に係った各人に対して対価の付与をおこなうことにより、企業のデータを特定の携帯電話５０，６０間でのみ流通させることのできる信頼性の高いサービスを、当該サービスを提供するサービス提供者の利益を考慮しつつ、実現することができる。【００４８】
また、携帯電話５０，６０が通信情報管理装置７０との間で通信速度が遅い公衆無線通信を用いてデータ通信をおこなう代わりに、アクセスポイント装置４０との間で通信速度が速い近距離無線通信を用いてデータ通信をおこなうことにより、通信情報管理装置７０の不可を低減するとともに、大量のデータを効率的に送受信することができる。【００４９】
また、携帯電話５０，６０は、コンテンツをコンテンツ提供者サーバ１０や企業サーバ２０，３０からダウンロードするだけでなく、アップロードもできるため、質問表をダウンロードさせ、それに対する回答をアップロードしてもらうアンケート調査などを容易に実行できる。【００５０】
さらに、携帯電話５０，６０が、ダウンロードされたデータのうち、更新されたデータ部分のみをアップロードする差分圧縮をおこなうこととすれば、アップロードのデータ転送速度の低さを補い、アップロードを短い時間で完了させることができる。【００５１】
つぎに、図１に示した通信情報管理システムの機能構成について説明する。図２は、図１に示した通信情報管理システムの機能構成を示す図である。ここで、コンテンツ提供者サーバ１０および企業サーバ２０，３０については、一般的なパーソナルコンピュータやワークステーションなどの機能と同様の機能であるので、機能部の図示を省略する。【００５２】
図２に示すように、アクセスポイント装置４０は、通信処理部４１、記憶部４２、インターネット接続処理部４４、通信情報送信部４５および制御部４６を有する。【００５３】
通信処理部４１は、インターネットを介してコンテンツ提供者サーバ１０、あるいは、企業サーバ２０，３０との間で通信をおこなう処理部である。また、通信処理部４１は、無線ＬＡＮやＵＷＢ、ＩｒＤＡ、Ｂｌｕｅｔｏｏｔｈなどの通信方式により携帯電話５０，６０との間で近距離無線通信をおこなう。【００５４】
記憶部４２は、メモリなどの記憶デバイスであり、コンテンツ提供者サーバ１０や企業サーバ２０，３０、あるいは、携帯電話５０，６０から送信されたコンテンツ４３などのデータを一時的に記憶する。【００５５】
インターネット接続処理部４４は、携帯電話４０，５０からインターネットに接続するよう要求された場合に、携帯電話４０，５０から送信されたＩＤやパスワードなどのユーザ情報を認証サーバ（図示せず）に送信し、携帯電話４０，５０の認証が成功した場合に携帯電話４０，５０をインターネットに接続する。【００５６】
通信情報送信部４５は、コンテンツ提供者サーバ１０や、企業サーバ２０，３０、携帯電話５０，６０との間でコンテンツの送受信をおこなった場合に、そのコンテンツの送受信に係る情報を通信情報管理装置７０に送信する。【００５７】
制御部４６は、アクセスポイント装置４０を全体制御する制御部であり、各機能部間のデータの授受を司る。【００５８】
また、携帯電話５０は、通信処理部５１、記憶部５２、通信可否照会部５４、差分圧縮処理部５５、通信情報送信部５６および制御部５７を有する。なお、携帯電話６０も同様の構成となるので、ここでは各機能部の図示を省略する。【００５９】
通信処理部５１は、通信情報管理装置７０との間で公衆無線通信をおこない、アクセスポイント装置４０との間で近距離無線通信をおこない、また、他の携帯電話６０との間でピアツーピア通信をおこなう処理部である。【００６０】
記憶部５２は、メモリなどの記憶デバイスであり、アクセスポイント装置４０や他の携帯電話６０から受信したコンテンツなどのデータを記憶する。【００６１】
通信可否照会部５４は、アクセスポイント装置４０にコンテンツを送信する場合、あるいは、他の携帯電話６０にコンテンツを送信する場合に、送信の可否を通信情報管理装置７０に照会する。【００６２】
差分圧縮処理部５５は、携帯電話５０がインターネットなどからダウンロードしたコンテンツの一部のみを変更し、そのコンテンツをアップロードする場合に、変更部分のみをアップロードする処理部である。この変更部分を受信した企業サーバ２０，３０では、変更部分と元のコンテンツとから、完全な形でのコンテンツを作成する。【００６３】
制御部５６は、携帯電話５０を全体制御する制御部であり、各機能部間のデータの授受を司る。【００６４】
また、通信情報管理装置７０は、通信処理部７１、記憶部７２、通信可否判定部７７、課金処理部７８および制御部７９を有する。【００６５】
通信処理部７１は、コンテンツ提供者サーバ１０や企業サーバ２０，３０、アクセスポイント装置４０とインターネットを介して通信をおこなうとともに、携帯電話５０，６０との間で公衆無線により通信をおこなう処理部である。【００６６】
記憶部７２は、ハードディスク装置などの記憶デバイスであり、契約者データ７３、契約プロバイダデータ７４、コンテンツ提供者データ７５およびコンテンツ７７などのデータを記憶している。【００６７】
契約者データ７３は、キャリアとの間で携帯電話５０，６０の通信サービスの契約をおこなった契約者に係る情報を記憶したものである。図３は、図２に示した契約者データ７３の一例を示す図である。【００６８】
図３に示すように、この契約者データ７３には、契約端末名、ＩＤ、パスワードおよび課金情報のデータが記憶されている。契約端末名は、携帯電話５０，６０の端末名である。ＩＤは、各携帯電話５０，６０に割り当てられた電話番号である。【００６９】
パスワードは、携帯電話５０，６０が通信情報管理装置７０にアクセスして、課金情報などを参照する際に照合をおこなうためのパスワードである。課金情報は、各携帯電話５０，６０に課金された金額の情報である。【００７０】
また、契約プロバイダデータ７４は、キャリアとの間で通信サービスの契約をおこない、アクセスポイント装置４０を設置したインターネットプロバイダに係る情報を記憶したものである。図４は、図２に示した契約プロバイダデータ７４の一例を示す図である。【００７１】
図４に示すように、この契約プロバイダデータ７４には、契約プロバイダ名、ＩＤ、パスワードおよび課金情報のデータが記憶されている。契約プロバイダ名は、アクセスポイント装置４０を設置したインターネットプロバイダの名称である。【００７２】
ＩＤは、インターネットプロバイダのＩＰアドレスである。パスワードは、インターネットプロバイダが通信情報管理装置７０にアクセスして、課金情報などを参照する際に照合をおこなうためのパスワードである。課金情報は、各インターネットプロバイダに課金された金額の情報である。【００７３】
また、コンテンツ提供者データ７５は、コンテンツを携帯電話５０，６０に提供するコンテンツ提供者に係る情報を記憶したものである。具体的には、コンテンツ提供者サーバを特定するＩＰアドレスや、コンテンツ提供者に課金される課金情報などのデータを記憶している。【００７４】
コンテンツ７６は、携帯電話５０，６０に配信するコンテンツ、あるいは、携帯電話５０，６０から受信したコンテンツである。【００７５】
図２の説明に戻ると、通信可否判定部７７は、携帯電話５０，６０から他の携帯電話５０，６０、あるいは、アクセスポイント装置４０にコンテンツを送信してよいか否かの照会要求を受けた場合に、契約者データ７３、あるいは、契約プロバイダデータ７４を参照して、コンテンツの送信先が契約済であるか否かを判定し、契約済である場合に、コンテンツの送信許可を返送する。【００７６】
課金処理部７８は、アクセスポイント装置４０、あるいは、携帯電話５０，６０からコンテンツの送信完了メッセージを受信した場合に、コンテンツ提供者サーバ１０、アクセスポイント装置４０、あるいは、携帯電話５０，６０に課金する処理部である。【００７７】
制御部７９は、通信情報管理装置７０を全体制御する制御部であり、各機能部間のデータの授受を司る。【００７８】
つぎに、アクセスポイント装置４０がおこなうコンテンツ転送処理の処理手順について説明する。図５は、アクセスポイント装置４０がおこなうコンテンツ転送処理の処理手順を示すフローチャートである。【００７９】
まず、アクセスポイント装置４０のインターネット接続処理部４４は、携帯電話５０，６０からユーザＩＤやパスワードなどの情報を含んだインターネットへの接続要求を受け付ける（ステップＳ１０１）。そして、インターネット接続処理部４４は、携帯電話５０，６０のインターネットへの接続処理を実行する（ステップＳ１０２）。【００８０】
具体的には、インターネット接続処理部４４は、携帯電話５０，６０から受け付けたユーザＩＤやパスワードの情報を認証サーバに送信し、認証結果を認証サーバから待ち受ける。そして、インターネット接続処理部４４は、ユーザＩＤやパスワードの認証が成功した場合にのみ、携帯電話５０，６０をインターネットに接続させる。【００８１】
続いて、アクセスポイント装置４０の通信処理部４１は、インターネット経由でコンテンツ提供者サーバ１０や企業サーバ２０，３０により送信されたコンテンツを携帯電話５０，６０に転送する。あるいは、通信処理部４１は、携帯電話５０，６０から送信されたコンテンツを、インターネットを介して企業サーバ２０，３０に転送する（ステップＳ１０３）。【００８２】
そして、通信情報送信部４５は、企業サーバ２０，３０、あるいは、携帯電話５０，６０にコンテンツを送信した場合に、企業サーバ２０，３０、あるいは、携帯電話５０，６０からコンテンツの受信が完了したことを示すメッセージを受信する（ステップＳ１０４）。【００８３】
その後、通信情報送信部４５は、コンテンツの転送が完了したことを示す情報を通信情報管理装置７０に送信し（ステップＳ１０５）、このコンテンツ転送処理を終了する。通信情報管理装置７０は、この情報を基にして、アクセスポイント装置４０を管理するインターネットプロバイダにコンテンツの転送に対する対価を付与する。【００８４】
つぎに、携帯電話５０がおこなうコンテンツの送信処理について説明する。図６は、携帯電話５０がおこなうコンテンツの送信処理の処理手順を示すフローチャートである。【００８５】
まず、携帯電話５０の通信処理部５１は、コンテンツを他の携帯電話６０に、あるいは、アクセスポイント装置４０を介して企業サーバ２０，３０に送信するよう要求する送信要求を他の携帯電話６０から受信する（ステップＳ２０１）。そして、通信可否照会部５４は、通信情報管理装置７０に対して、コンテンツの送信可否を問い合わせる（ステップＳ２０２）。【００８６】
続いて、通信可否照会部５４は、通信情報管理装置７０から送信可否の判定結果の情報を受信し、送信が可であるか否かを調べる（ステップＳ２０３）。そして、送信が不可である場合には（ステップＳ２０３，Ｎｏ）、通信可否照会部５４は、他の携帯電話６０に対して送信不可メッセージを送信する（ステップＳ２０４）。【００８７】
送信が可である場合には（ステップＳ２０４，Ｙｅｓ）、通信処理部５１は、コンテンツを他の携帯電話６０に、あるいは、アクセスポイント装置４０を介して企業サーバ２０，３０に送信し（ステップＳ２０５）、他の携帯電話６０、あるいは、企業サーバ２０，３０からコンテンツの受信が完了したことを示すメッセージの受信をおこなう（ステップＳ２０６）。【００８８】
その後、通信情報送信部５６は、通信情報管理装置７０に送信が完了したことを示すメッセージを送信し（ステップＳ２０７）、このコンテンツの送信処理を終了する。通信情報管理装置７０は、このメッセージを受信した場合に、コンテンツの送信に対する対価として携帯電話５０の契約者に対してマイナス課金をおこなう。【００８９】
なお、ここでは、他の携帯電話６０からコンテンツの送信要求を受け付けた場合にコンテンツを送信することとしているが、これに限定されず、携帯電話５０が携帯電話６０にコンテンツの提供を申し出ることとしてもよい。【００９０】
つぎに、通信情報管理装置７０がおこなう通信情報管理処理について説明する。図７は、通信情報管理装置７０がおこなう通信情報管理処理の処理手順を示すフローチャートである。【００９１】
まず、通信情報管理装置７０の通信処理部７１は、携帯電話５０からアクセスポイント装置４０、あるいは、他の携帯電話６０へのコンテンツの送信可否の照会要求を受信する（ステップＳ３０１）。【００９２】
そして、通信可否判定部７７は、コンテンツの送信先であるアクセスポイント装置４０を有するインターネットプロバイダ、あるいは、他の携帯電話６０の所有者が契約加入済であるか否かを、契約者データ７３または契約プロバイダデータ７４を参照して調べる（ステップＳ３０２）。【００９３】
送信先が契約加入済でない場合には（ステップＳ３０２，Ｎｏ）、通信可否判定部７７は、コンテンツの送信可否の照会要求を送信した携帯電話５０にコンテンツの送信不許可メッセージを送信し（ステップＳ３０３）、この通信情報管理処理を終了する。【００９４】
送信先が契約加入済である場合には（ステップＳ３０２，Ｎｏ）、通信可否判定部７６は、コンテンツの送信可否の照会要求を送信した携帯電話５０にコンテンツの送信不許可メッセージを送信する（ステップＳ３０４）。【００９５】
その後、通信処理部７１は、携帯電話５０からコンテンツの送信が完了したことを示すメッセージを受信する（ステップＳ３０５）。そして、課金処理部７８は、コンテンツを送信した対価として、携帯電話５０の契約者に対してマイナス課金をおこない、契約者データ７３の課金情報を更新する処理を実行し（ステップＳ３０６）、この通信情報管理処理を終了する。【００９６】
なお、ここでは、キャリアと通信サービスの契約を結んだ携帯電話５０と携帯電話６０との間で通信をおこなう場合を示したが、２つの携帯電話間の通信を、キャリアと通信サービスの契約を結んだ他の携帯電話が中継することとしてもよい。【００９７】
通信を中継する携帯電話は、コンテンツを送信する送信元の携帯電話が決定してもよいし、通信情報管理装置７０が決定することとしてもよい。コンテンツの送信元の携帯電話が決定する場合には、まず。通信情報管理装置７０から中継する携帯電話の探索許可を受ける。【００９８】
そして、コンテンツの送信元の携帯電話は、携帯電話の１つに中継用の携帯電話として機能するように依頼する。その依頼を受けた携帯電話は、コンテンツの送信先の携帯電話との間で通信を試みる。【００９９】
通信が成功し、コンテンツの送信先の携帯電話から中継の了承を得ると、中継依頼を受けた携帯電話は、コンテンツの送信元の携帯電話に中継が可能であることを通知する。そして、コンテンツの送信元の携帯電話は、通信情報管理装置７０に対して中継用の携帯電話が決定したことを通知する。【０１００】
また、通信を中継する携帯電話を通信情報管理装置７０が決定する場合には、コンテンツの送信元の携帯電話は、まず、通信情報管理装置７０に通信を中継する携帯電話の決定を依頼する。【０１０１】
そして、通信情報管理装置７０は、中継用の携帯電話から中継の受諾を得るとともに、コンテンツの送信先の携帯電話に中継用の携帯電話を介した通信の了承をとる。そして、通信情報管理装置７０は、コンテンツの送信元の携帯電話に中継用の携帯電話を介して、コンテンツの送信先の携帯電話と通信することが可能であることを通知する。【０１０２】
上記実施例で説明した各種の処理は、あらかじめ用意されたプログラムをコンピュータで実行することによって実現することができる。そこで、以下では、図８から図１０を用いて、上記各種処理を実現するプログラムを実行するコンピュータの一例について説明する。【０１０３】
図８は、図１に示したアクセスポイント装置４０となるコンピュータのハードウェア構成を示す図である。【０１０４】
このコンピュータは、ユーザからの入力を受け付ける入力装置１００、アクセスポイント装置４０の状態を表示する表示装置１０１、コンテンツ１０３を一時的に記憶するＲＡＭ（Random  Access  Memory）１０２、インターネットを介してコンテンツ提供者サーバ１０、企業サーバ２０，３０と通信をおこない、また、アンテナ１０５を用いて近距離無線通信により携帯電話５０，６０と通信をおこなう通信インターフェース１０４、ＣＰＵ（Central  Processing  Unit）１０６および中継プログラム１０９を記憶したＲＯＭ（Read  Only  Memory）１０８をバス１１０で接続して構成される。【０１０５】
ここで、中継プログラム１０９は、アクセスポイント装置４０の各機能部と同様の機能を発揮するプログラムである。そして、ＣＰＵ１０６が、中継プログラム１０９をＲＯＭ１０８から読み出して実行することにより、中継プロセス１０７として機能するようになる。【０１０６】
図９は、図１に示した携帯電話５０，６０となるコンピュータのハードウェア構成を示す図である。【０１０７】
このコンピュータは、ユーザからのデータの入力を受け付ける入力装置２００、表示装置２０１、ＲＡＭ２０２、アンテナ２０５を用いた近距離無線通信によりアクセスポイント装置４０と通信をおこない、公衆無線通信により通信情報管理装置７０と通信をおこない、また、他の携帯電話５０，６０と通信をおこなう通信インターフェース２０４、ＣＰＵ２０６およびフラッシュメモリ２０８をバス２１１で接続して構成される。【０１０８】
そして、フラッシュメモリ２０８には、携帯電話５０，６０の機能と同様の機能を発揮するプログラム、つまり、図９に示す無線通信プログラム２１０が記憶されている。そして、ＣＰＵ２０６が、無線通信プログラム２１０をフラッシュメモリ２０８から読み出して実行することにより、無線通信プロセス２０７として機能するようになる。この無線通信プロセス２０７が、携帯電話５０，６０の各機能部の機能に対応する。【０１０９】
また、フラッシュメモリ２０８には、コンテンツ２０９が記憶される。このコンテンツ２０９は、図２に示した記憶部５２に記憶されるコンテンツ５３に対応する。そして、ＣＰＵ２０６は、コンテンツ２０９をフラッシュメモリ２０８に記憶するとともに、フラッシュメモリ２０８からコンテンツ２０９を読み出してＲＡＭ２０２に格納し、ＲＡＭ２０２に格納されたコンテンツ２０３を用いて各種処理を実行する。【０１１０】
図１０は、図１に示した通信情報管理装置７０となるコンピュータのハードウェア構成を示す図である。【０１１１】
このコンピュータは、ユーザからのデータの入力を受け付ける入力装置３００、表示装置３０１、ＲＡＭ３０２、ＲＯＭ３０７、各種プログラムを記録した記録媒体からプログラムを読み取る媒体読取装置３０８、インターネットを介してアクセスポイント装置４０やコンテンツ提供者サーバ１０などと通信をおこない、また、アンテナ３１０を用いて携帯電話５０，６０と無線通信をおこなう通信インターフェース３０９、ＣＰＵ３１１およびＨＤＤ（Hard  Disk  Drive）３１３をバス３１９で接続して構成される。【０１１２】
そして、ＨＤＤ３１３には、通信情報管理装置７０の機能と同様の機能を発揮するプログラム、つまり、図１０に示す通信情報管理プログラム３１８が記憶されている。そして、ＣＰＵ３１１が、通信情報管理プログラム３１８をＨＤＤ３１３から読み出して実行することにより、通信情報管理プロセス３１２として機能するようになる。この通信情報管理プロセス３１２が、通信情報管理装置７０の各機能部に対応する。【０１１３】
また、ＨＤＤ３１３には、契約者データ３１４、契約プロバイダデータ３１５、コンテンツ提供者データ３１６、コンテンツ３１７が記憶される。契約者データ３１４、契約プロバイダデータ３１５、コンテンツ提供者データ３１６、コンテンツ３１７は、図２に示した記憶部７２に記憶される契約者データ７３、契約プロバイダデータ７４、コンテンツ提供者データ７５、コンテンツ７６にそれぞれ対応する。【０１１４】
そして、ＣＰＵ３１１は、契約者データ３１４、契約プロバイダデータ３１５、コンテンツ提供者データ３１６、コンテンツ３１７をＨＤＤ３１３に記憶するとともに、それらのデータをＨＤＤ３１３から読み出してＲＡＭ３０２に格納し、ＲＡＭ３０２に格納された契約者データ３０３、契約プロバイダデータ３０４、コンテンツ提供者データ３０５、コンテンツ３０６を用いて各種処理を実行する。【０１１５】
上述してきたように、本実施例では、携帯電話５０，６０とアクセスポイント装置４０との間においてデータ通信をおこない、あるいは、通信情報管理装置７０が、携帯電話５０，６０間の通信の可否を判定し、通信が可であると判定された場合に携帯電話５０，６０間においてデータ通信をおこない、データ通信をおこなった場合に、通信情報管理装置７０が、当該データ通信に係る情報を記憶し、記憶した情報に基づいて、携帯電話５０，６０あるいはアクセスポイント装置４０がおこなったデータ通信に対する対価の付与をおこなうこととしたので、データを特定の装置間でのみ流通させることのできる信頼性の高いサービスを、当該サービスを提供する事業者の利益を考慮しつつ、実現することができる。【０１１６】
さて、これまで本発明の実施例について説明したが、本発明は上述した実施例以外にも、特許請求の範囲に記載した技術的思想の範囲内において種々の異なる実施例にて実施されてもよいものである。【０１１７】
たとえば、本実施例では、ピアツーピア通信をおこなう無線通信端末として携帯電話を用いることとしたが、無線通信機能を有するＰＤＡ（Personal  Digital  Assistance）やパーソナルコンピュータなどの他の無線通信端末を用いることとしてもよい。【０１１８】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。【０１１９】
この他、上記文書中や図面中で示した処理手順、制御手順、具体的名称、各種のデータやパラメータを含む情報については、特記する場合を除いて任意に変更することができる。【０１２０】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。【０１２１】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１２２】
以上のように、本発明にかかる通信情報管理方法、通信情報管理装置、無線通信装置、中継装置、通信情報管理プログラム、無線通信プログラム、中継プログラムおよび通信情報管理システムは、データを特定の装置間でのみ流通させることのできる信頼性の高いサービスを、当該サービスを提供する事業者の利益を考慮しつつ、実現することが必要な通信システムに有用である。
【図１】
2006098037.tif 000002
【図２】
2006098037.tif 000003
【図３】
2006098037.tif 000004
【図４】
2006098037.tif 000005
【図５】
2006098037.tif 000006
【図６】
2006098037.tif 000007
【図７】
2006098037.tif 000008
【図８】
2006098037.tif 000009
【図９】
2006098037.tif 000010
【図１０】
2006098037.tif 000011
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理方法であって、
前記無線通信装置と中継装置との間におけるデータ通信、あるいは、前記無線通信装置間のデータ通信の可否を判定し、データ通信が可であると判定された場合に無線通信装置間におけるデータ通信をおこなう通信工程と、
前記通信工程によりデータ通信がおこなわれた場合に、当該データ通信に係る情報を記憶する情報記憶工程と、
前記情報記憶工程により記憶された情報に基づいて前記無線通信装置あるいは中継装置がおこなったデータ通信に対する対価の付与をおこなう対価付与工程と、
を含んだことを特徴とする通信情報管理方法。
【請求項２】
前記通信工程は、前記無線通信装置から前記所定のネットワークに接続された装置に対してデータをアップロードするデータ通信をおこなうことを特徴とする請求項１に記載の通信情報管理方法。
【請求項３】
前記通信工程は、前記所定のネットワークに接続された装置から前記無線通信装置にデータがダウンロードされた場合に、ダウンロードされたデータのうち、更新されたデータ部分をアップロードすることを特徴とする請求項２に記載の通信情報管理方法。
【請求項４】
前記無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることを特徴とする請求項１、２または３に記載の通信情報管理方法。
【請求項５】
ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間の通信を中継する中継装置がおこなうデータ通信に係る情報を管理する通信情報管理装置であって、
前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手段と、
前記情報記憶手段に記憶された情報に基づいて前記無線通信装置あるいは中継装置がおこなったデータ通信に対する対価の付与をおこなう対価付与手段と、
を備えたことを特徴とする通信情報管理装置。
【請求項６】
他の装置との間で無線通信をおこなう無線通信装置であって、
ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手段と、  前記記憶手段により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手段により記憶されたデータを送信するデータ送信手段と、
前記データ送信手段によりなされたデータ送信に係る情報を前記通信情報管理装置に送信するデータ送信情報送信手段と、
を備えたことを特徴とする無線通信装置。
【請求項７】
ピアツーピア通信をおこなう無線端末装置間の通信可否の判定をおこない、かつ、データの送信に対する対価の付与をおこなう通信情報管理装置によりデータ通信の実行許可を受けた場合にピアツーピア通信をおこなう無線通信装置の認証が成功した際、当該無線通信装置を所定のネットワークに接続することにより無線通信装置と当該ネットワークに接続された他の装置との間のデータ通信を中継する中継装置であって、
前記ネットワークに接続された他の装置により送信されたデータ、あるいは、前記無線通信装置により送信されたデータを記憶する記憶手段と、
前記記憶手段にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手段と、
前記データ送信手段によりなされたデータ送信に係る情報を前記通信情報管理装置に送信するデータ送信情報送信手段と、
を備えたことを特徴とする中継装置。
【請求項８】
ピアツーピア通信をおこなう無線通信装置がおこなうデータ通信に係る情報、あるいは、前記無線通信装置の認証が成功した場合に当該無線通信装置を所定のネットワークに接続することにより前記無線通信装置と当該ネットワークに接続された他の装置との間のデータ通信を中継する中継装置がおこなうデータ通信に係る情報を管理する通信情報管理プログラムであって、
前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手順と、
前記情報記憶手順に記憶された情報に基づいて前記無線通信装置あるいは中継装置がおこなったデータ通信に対する対価の付与をおこなう対価付与手順と、
をコンピュータに実行させることを特徴とする通信情報管理プログラム。
【請求項９】
他の装置との間で無線通信をおこなう無線通信プログラムであって、
ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手順と、  前記記憶手順により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手順により記憶されたデータを送信するデータ送信手順と、
前記データ送信手順によりなされたデータ送信に係る情報を前記通信情報管理装置に送信するデータ送信情報送信手順と、
をコンピュータに実行させることを特徴とする無線通信プログラム。
【請求項１０】
ピアツーピア通信をおこなう無線端末装置間の通信可否の判定をおこない、かつ、データの送信に対する対価の付与をおこなう通信情報管理装置によりデータ通信の実行許可を受けた際にピアツーピア通信をおこなう無線通信装置の認証が成功した場合に、当該無線通信装置を所定のネットワークに接続することにより無線通信装置と当該ネットワークに接続された他の装置との間のデータ通信を中継する中継プログラムであって、
前記ネットワークに接続された他の装置により送信されたデータ、あるいは、前記無線通信装置により送信されたデータを記憶する記憶手順と、
前記記憶手順にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手順と、
前記データ送信手順によりなされたデータ送信に係る情報を前記通信情報管理装置に送信するデータ送信情報送信手順と、
をコンピュータに実行させることを特徴とする中継プログラム。
【手続補正２】
【補正対象書類名】明細書
【補正対象項目名】全文
【補正方法】変更
【補正の内容】
【発明の詳細な説明】
【技術分野】
【０００１】
本発明は、ピアツーピア通信をおこなう無線通信装置がおこなう通信、あるいは、無線通信装置の認証が成功した場合に当該無線通信装置を所定のネットワークに接続することにより無線通信装置と当該ネットワークに接続された他の装置との間の通信を中継する中継装置がおこなう通信に係る情報を管理する通信情報管理方法、通信情報管理装置、通信情報管理プログラム、通信情報管理システム、無線通信装置、無線通信プログラム、中継装置および中継プログラムに関し、特に、データを特定の装置間でのみ流通させることのできる信頼性の高いサービスを、当該サービスを提供する事業者の利益を考慮しつつ、実現することができる通信情報管理方法、通信情報管理装置、無線通信装置、中継装置、通信情報管理プログラム、無線通信プログラムおよび中継プログラムに関する。
【背景技術】
【０００２】
従来、携帯電話やパーソナルコンピュータなどの複数の情報端末間で、ＩｒＤＡなどの規格による赤外線通信、ＩＥＥＥ８０２．１Ｘなどの規格による無線ＬＡＮ通信、または、Ｂｌｕｅｔｏｏｔｈ通信などの通信方式を用いた通信が実現されている。
【０００３】
特に、広く普及している携帯電話においては、通常の公衆回線の通信速度が遅いため、上述したような通信方式を用いた携帯電話間でのピアツーピア通信が注目されてきているが、携帯電話サービスを提供するキャリアとの間で競合することなどから、普及が伸び悩んでいる。
【０００４】
このような状況を打破するため、ピアツーピア通信によるコンテンツの配信技術がいくつか考案されている。たとえば、無線端末がコンテンツ配信サーバからコンテンツの配信を受け、そのコンテンツを他の無線端末に転送した場合に、コンテンツの転送をおこなった無線端末に対して当該コンテンツを購入する際に割引を受けるためのクーポンまたはポイントを発行するピアツーピア通信方法が提案されている（たとえば、特許文献１を参照）。
【０００５】
また、アドホックネットワークを構成する起点端末から終点端末にデータを中継端末を介して送信した場合に、中継端末の中継に対して正当な対価を与える課金方法が提案されている（たとえば、特許文献２を参照）。
【０００６】
【特許文献１】特開２００３−３３３０７９号公報
【特許文献２】特開２００２−２０９０２８号公報
【発明の開示】
【発明が解決しようとする課題】
【０００７】
しかしながら、上述した従来技術では、企業のデータを特定の端末間でのみ流通させるサービスを事業者が提供することが難しいという問題があった。
【０００８】
すなわち、上記方法では、コンテンツが複数の端末を経由して送信されたような場合に、コンテンツがどのようなルートで送信されたかを把握することができず、コンテンツの流通を制限することができなかった。
【０００９】
具体的には、上述したピアツーピア通信方法では、コンテンツが複数の端末を経由して送信された際、コンテンツ配信サーバの通信圏から外れた場合には、コンテンツがどの端末に送信されたかを調べることができず、コンテンツをあらかじめ決められた端末間のみで流通させることができない。
【００１０】
また、上述した課金方法は、課金端末がデータの中継をおこなった中継端末に対して対価を設定するだけであり、コンテンツの流通を制御するものではなかった。
【００１１】
そのため、企業のデータを特定の端末間でのみ流通させることのできる信頼性の高いサービスを、当該サービスを提供するサービス提供者の利益を考慮しつつ、実現することができる技術の開発が重要な課題となっている。
【００１２】
本発明は、上記課題を解決するためになされたものであって、データを特定の装置間でのみ流通させることのできる信頼性の高いサービスを、当該サービスを提供するサービス提供者の利益を考慮しつつ、実現することができる通信情報管理方法、通信情報管理装置、無線通信装置、中継装置、通信情報管理プログラム、無線通信プログラムおよび中継プログラムを提供することを目的とする。
【課題を解決するための手段】
【００１３】
上述した課題を解決し、目的を達成するために、本発明は、ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間のデータ通信を中継する中継装置がおこなうデータ通信に係る情報を管理する通信情報管理方法であって、前記無線通信装置と中継装置との間におけるデータ通信、あるいは、前記無線通信装置間のデータ通信の可否を判定し、データ通信が可であると判定された場合に無線通信装置間におけるデータ通信をおこなう通信工程と、前記通信工程によりデータ通信がおこなわれた場合に、当該データ通信に係る情報を記憶する情報記憶工程と、前記情報記憶工程により記憶された情報に基づいて前記無線通信装置あるいは中継装置がおこなったデータ通信に対する対価の付与をおこなう対価付与工程と、を含んだことを特徴とする。
【００１４】
また、本発明は、上記発明において、前記通信工程は、前記無線通信装置から前記所定のネットワークに接続された装置に対してデータをアップロードするデータ通信をおこなうことを特徴とする。
【００１５】
また、本発明は、上記発明において、前記通信工程は、前記所定のネットワークに接続された装置から前記無線通信装置にデータがダウンロードされた場合に、ダウンロードされたデータのうち、更新されたデータ部分をアップロードすることを特徴とする。
【００１６】
また、本発明は、上記発明において、前記無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることを特徴とする。
【００１７】
また、本発明は、ピアツーピア通信をおこなう無線通信装置がおこなうデータ通信に係る情報、あるいは、前記無線通信装置の認証が成功した場合に当該無線通信装置を所定のネットワークに接続することにより無線通信装置と当該ネットワークに接続された他の装置との間の通信を中継する中継装置がおこなうデータ通信に係る情報を管理する通信情報管理装置であって、前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手段と、前記情報記憶手段に記憶された情報に基づいて前記無線通信装置あるいは中継装置がおこなったデータ通信に対する対価の付与をおこなう対価付与手段と、を備えたことを特徴とする。
【００１８】
また、本発明は、他の装置との間で無線通信をおこなう無線通信装置であって、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手段と、前記記憶手段により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手段により記憶されたデータを送信するデータ送信手段と、前記データ送信手段によりなされたデータ送信に係る情報を前記通信情報管理装置に送信するデータ送信情報送信手段と、を備えたことを特徴とする。
【００１９】
また、本発明は、ピアツーピア通信をおこなう無線端末装置間の通信可否の判定をおこない、かつ、データの送信に対する対価の付与をおこなう通信情報管理装置によりデータ通信の実行許可を受けた場合にピアツーピア通信をおこなう無線通信装置の認証が成功した際、当該無線通信装置を所定のネットワークに接続することにより無線通信装置と当該ネットワークに接続された他の装置との間のデータ通信を中継する中継装置であって、前記ネットワークに接続された他の装置により送信されたデータ、あるいは、前記無線通信装置により送信されたデータを記憶する記憶手段と、前記記憶手段にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手段と、前記データ送信手段によりなされたデータ送信に係る情報を前記通信情報管理装置に送信するデータ送信情報送信手段と、を備えたことを特徴とする。
【００２０】
また、本発明は、ピアツーピア通信をおこなう無線通信装置がおこなうデータ通信に係る情報、あるいは、前記無線通信装置の認証が成功した場合に当該無線通信装置を所定のネットワークに接続することにより前記無線通信装置と当該ネットワークに接続された他の装置との間のデータ通信を中継する中継装置がおこなうデータ通信に係る情報を管理する通信情報管理プログラムであって、前記無線通信装置と中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶する情報記憶手順と、前記情報記憶手順に記憶された情報に基づいて前記無線通信装置あるいは中継装置がおこなったデータ通信に対する対価の付与をおこなう対価付与手順と、をコンピュータに実行させることを特徴とする。
【００２１】
また、本発明は、他の装置との間で無線通信をおこなう無線通信プログラムであって、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶する記憶手順と、前記記憶手順により記憶されたデータを前記中継装置に送信する、あるいは、無線端末装置間の通信可否の判定をおこない、かつ、データの送信に対する対価の付与をおこなう通信情報管理装置にデータ通信の可否を照会し、照会の結果データ通信が可であると判定された無線通信装置に前記記憶手順により記憶されたデータを送信するデータ送信手順と、前記データ送信手順によりなされたデータ送信に係る情報を前記通信情報管理装置に送信するデータ送信情報送信手順と、をコンピュータに実行させることを特徴とする。
【００２２】
また、本発明は、ピアツーピア通信をおこなう無線端末装置間の通信可否の判定をおこない、かつ、データの送信に対する対価の付与をおこなう通信情報管理装置によりデータ通信の実行許可を受けた際にピアツーピア通信をおこなう無線通信装置の認証が成功した場合に、当該無線通信装置を所定のネットワークに接続することにより無線通信装置と当該ネットワークに接続された他の装置との間のデータ通信を中継する中継プログラムであって、前記ネットワークに接続された他の装置により送信されたデータ、あるいは、前記無線通信装置により送信されたデータを記憶する記憶手順と、前記記憶手順にネットワークに接続された他の装置により送信されたデータが記憶された場合には、当該データを前記無線通信装置に送信し、前記記憶手段に前記無線通信装置により送信されたデータが記憶された場合には、当該データを前記ネットワークに接続された他の装置に送信するデータ送信手順と、前記データ送信手順によりなされたデータ送信に係る情報を前記通信情報管理装置に送信するデータ送信情報送信手順と、をコンピュータに実行させることを特徴とする。
【発明の効果】
【００２３】
本発明によれば、ピアツーピア通信をおこなう無線通信装置と、無線通信装置の認証が成功した場合に無線通信装置を所定のネットワークに接続することにより無線通信装置と当該ネットワークに接続された他の装置との間のデータ通信を中継する中継装置との間におけるデータ通信、あるいは、無線通信装置間の通信の可否を判定し、通信が可であると判定された場合に無線通信装置間におけるデータ通信をおこない、データ通信をおこなった場合に、当該データ通信に係る情報を記憶し、記憶した情報に基づいて、無線通信装置あるいは中継装置がおこなったデータ通信に対する対価の付与をおこなうこととしたので、データを特定の装置間でのみ流通させることのできる信頼性の高いサービスを、当該サービスを提供する事業者の利益を考慮しつつ、実現することができるという効果を奏する。
【００２４】
また、本発明によれば、無線通信装置から所定のネットワークに接続された装置に対してデータをアップロードするデータ通信をおこなうこととしたので、データのダウンロードだけでなく、アップロードもおこなうことにより、質問表をダウンロードさせ、それに対する回答をアップロードしてもらうアンケート調査などを容易に実行できるという効果を奏する。
【００２５】
また、本発明によれば、所定のネットワークに接続された装置から無線通信装置にデータがダウンロードされた場合に、ダウンロードされたデータのうち、更新されたデータ部分をアップロードすることとしたので、アップロードのデータ転送速度の低さを補い、アップロードを短い時間で完了させることができるという効果を奏する。
【００２６】
また、本発明によれば、無線通信装置と中継装置との間のデータ通信は、無線ＬＡＮ、ＵＷＢ、ＩｒＤＡ、あるいは、Ｂｌｕｅｔｏｏｔｈのデータ通信方式によりおこなわれることとしたので、無線通信装置と中継装置との間で高速なデータ通信を用いることにより、大量のデータを送受信することができるという効果を奏する。
【００２７】
また、本発明によれば、ピアツーピア通信をおこなう無線通信装置と、無線通信装置の認証が成功した場合に無線通信装置を所定のネットワークに接続することにより無線通信装置と当該ネットワークに接続された他の装置との間のデータ通信を中継する中継装置との間でデータ通信がおこなわれた場合、あるいは、無線通信装置間のデータ通信の可否を判定し、データ通信が可であると判定した結果、無線通信装置間でデータ通信がおこなわれた場合に、当該データ通信に係る情報を記憶し、記憶した情報に基づいて無線通信装置あるいは中継装置がおこなったデータ通信に対する対価の付与をおこなうこととしたので、データを特定の装置間でのみ流通させることのできる信頼性の高いサービスを、当該サービスを提供する事業者の利益を考慮しつつ、実現することができるという効果を奏する。
【００２８】
また、本発明によれば、ピアツーピア通信をおこなう無線通信装置の認証が成功した場合に当該無線通信装置を所定のネットワークに接続することにより無線通信装置と当該ネットワークに接続された他の装置との間のデータ通信を中継する中継装置から送信されたデータ、あるいは、ピアツーピア通信をおこなう他の無線通信装置から送信されたデータを記憶し、記憶したデータを中継装置に対して送信し、あるいは、無線端末装置の通信可否の判定をおこない、かつ、データの送信に対する対価の付与をおこなう通信情報管理装置にデータ通信の可否を照会し、照会の結果データ通信が可であると判定された無線通信装置にデータを送信し、そのデータ送信に係る情報を通信情報管理装置に送信することとしたので、データを特定の装置間でのみ流通させることのできる信頼性の高いサービスを、当該サービスを提供する事業者の利益を考慮しつつ、実現することができるという効果を奏する。
【００２９】
また、本発明によれば、ネットワークに接続された他の装置により送信されたデータ、あるいは、無線端末装置の通信可否の判定をおこない、かつ、データの送信に対する対価の付与をおこなう通信情報管理装置によりデータ通信の実行許可を受けた場合にピアツーピア通信をおこなう無線通信装置により送信されたデータを記憶し、ネットワークに接続された他の装置により送信されたデータが記憶された場合には、当該データを無線通信装置に、無線通信装置により送信されたデータが記憶された場合には、当該データをネットワークに接続された他の装置に送信し、そのデータ送信に係る情報を通信情報管理装置に送信することとしたので、データを特定の装置間でのみ流通させることのできる信頼性の高いサービスを、当該サービスを提供する事業者の利益を考慮しつつ、実現することができるという効果を奏する。
【発明を実施するための最良の形態】
【００３０】
以下に、本発明にかかる通信情報管理方法、通信情報管理装置、無線通信装置、中継装置、通信情報管理プログラム、無線通信プログラムおよび中継プログラムの実施例を図面に基づいて詳細に説明する。なお、この実施例によりこの発明が限定されるものではない。
【実施例】
【００３１】
まず、本発明に係る通信情報管理システムの概念について説明する。図１は、本発明に係る通信情報管理システムの概念を説明する図である。
【００３２】
図１に示すように、この通信情報管理システムは、コンテンツ提供者サーバ１０、企業サーバ２０，３０、アクセスポイント装置４０、携帯電話５０，６０および通信情報管理装置７０から構成されている。
【００３３】
コンテンツ提供者サーバ１０は、インターネットを介して他の装置にコンテンツを提供するサーバ装置である。ここで、携帯電話５０，６０にコンテンツを提供する場合には、コンテンツ提供者サーバ１０は、アクセスポイント装置４０、あるいは、通信情報管理装置７０を経由してコンテンツを提供する。
【００３４】
企業サーバ２０，３０は、企業がインターネットを介して他の装置との間でコンテンツの送受信をおこなうサーバ装置である。
【００３５】
アクセスポイント装置４０は、インターネットプロバイダが設置した装置であり、携帯電話５０，６０をインターネットに接続する際のアクセスポイントとなる装置である。このアクセスポイント装置４０は、携帯電話５０，６０からインターネットへのアクセス要求を受け付け、認証が成功した場合にインターネットへのアクセスを許可する。
【００３６】
携帯電話５０，６０は、無線通信により公衆回線を介してキャリア（携帯電話通信事業者）が設置した通信情報管理装置７０との間でデータ通信をおこなう携帯電話である。また、この携帯電話５０，６０は、無線ＬＡＮやＵＷＢ（Ultra  Wide  Band）、ＩｒＤＡ（Infrared  Data  Association）、Ｂｌｕｅｔｏｏｔｈなどの近距離無線通信により、アクセスポイント装置４０との間で双方向のデータ通信をおこなう。
【００３７】
さらに、この携帯電話５０，６０は、他の携帯電話５０，６０との間でピアツーピア通信により双方向のデータ通信をおこない、アドホックネットワークを構築する。
【００３８】
通信情報管理装置７０は、キャリアが設置したサーバ装置であり、キャリアと契約を結んでいる契約者の携帯電話５０，６０に対してコンテンツの提供をおこなう。
【００３９】
また、この通信情報管理装置７０は、単に携帯電話５０，６０にコンテンツの提供をおこなうだけでなく、携帯電話５０，６０がコンテンツを他の携帯電話５０，６０に送信する場合に、携帯電話５０，６０に送信許可を与える。
【００４０】
さらに、この通信情報管理装置７０は、コンテンツ提供者サーバ１０、アクセスポイント装置４０、携帯電話５０，６０がおこなったコンテンツの送信処理に係る情報を収集し、それぞれに対して対価を付与する。
【００４１】
たとえば、コンテンツが、コンテンツ提供者サーバ１０からアクセスポイント装置４０を介して携帯電話５０に送信された場合には、コンテンツ提供者サーバ１０を有するコンテンツ提供者には、コンテンツを提供した対価としてマイナス課金が、売買手数料としてプラス課金がおこなわれ、それらの差額がコンテンツ提供者に支払われるか、あるいはコンテンツ提供者から徴収される。
【００４２】
アクセスポイント装置４０を有するインターネットプロバイダに対しては、コンテンツを携帯電話５０，６０に送信した場合、あるいは、携帯電話５０，６０からコンテンツを受信してインターネットに転送した場合に、コンテンツを転送したことに対する対価としてマイナス課金がおこなわれ、対価が支払われる。
【００４３】
また、コンテンツを他の携帯電話に転送した携帯電話５０の契約加入者には、コンテンツを転送したことに対する対価としてマイナス課金がおこなわれ、対価が支払われる。コンテンツを最終的に受信した携帯電話６０の契約加入者には、コンテンツの代金としてプラス課金がおこなわれ、料金が徴収される。
【００４４】
このように、インターネットからアクセスポイント装置４０を介してコンテンツが携帯電話５０，６０に送信される場合、あるいは、携帯電話５０，６０からアクセスポイント装置４０を介してインターネットに接続された企業サーバ２０，３０などにコンテンツが送信される場合に、通信情報管理装置７０が、通信許可を与えることにより通信の信頼性を高め、また、コンテンツの送信に係った各人に対して対価の付与をおこなうことにより、企業のデータを特定の携帯電話５０，６０間でのみ流通させることのできる信頼性の高いサービスを、当該サービスを提供するサービス提供者の利益を考慮しつつ、実現することができる。
【００４５】
また、携帯電話５０，６０が通信情報管理装置７０との間で通信速度が遅い公衆無線通信を用いてデータ通信をおこなう代わりに、アクセスポイント装置４０との間で通信速度が速い近距離無線通信を用いてデータ通信をおこなうことにより、通信情報管理装置７０の不可を低減するとともに、大量のデータを効率的に送受信することができる。
【００４６】
また、携帯電話５０，６０は、コンテンツをコンテンツ提供者サーバ１０や企業サーバ２０，３０からダウンロードするだけでなく、アップロードもできるため、質問表をダウンロードさせ、それに対する回答をアップロードしてもらうアンケート調査などを容易に実行できる。
【００４７】
さらに、携帯電話５０，６０が、ダウンロードされたデータのうち、更新されたデータ部分のみをアップロードする差分圧縮をおこなうこととすれば、アップロードのデータ転送速度の低さを補い、アップロードを短い時間で完了させることができる。
【００４８】
つぎに、図１に示した通信情報管理システムの機能構成について説明する。図２は、図１に示した通信情報管理システムの機能構成を示す図である。ここで、コンテンツ提供者サーバ１０および企業サーバ２０，３０については、一般的なパーソナルコンピュータやワークステーションなどの機能と同様の機能であるので、機能部の図示を省略する。
【００４９】
図２に示すように、アクセスポイント装置４０は、通信処理部４１、記憶部４２、インターネット接続処理部４４、通信情報送信部４５および制御部４６を有する。
【００５０】
通信処理部４１は、インターネットを介してコンテンツ提供者サーバ１０、あるいは、企業サーバ２０，３０との間で通信をおこなう処理部である。また、通信処理部４１は、無線ＬＡＮやＵＷＢ、ＩｒＤＡ、Ｂｌｕｅｔｏｏｔｈなどの通信方式により携帯電話５０，６０との間で近距離無線通信をおこなう。
【００５１】
記憶部４２は、メモリなどの記憶デバイスであり、コンテンツ提供者サーバ１０や企業サーバ２０，３０、あるいは、携帯電話５０，６０から送信されたコンテンツ４３などのデータを一時的に記憶する。
【００５２】
インターネット接続処理部４４は、携帯電話４０，５０からインターネットに接続するよう要求された場合に、携帯電話４０，５０から送信されたＩＤやパスワードなどのユーザ情報を認証サーバ（図示せず）に送信し、携帯電話４０，５０の認証が成功した場合に携帯電話４０，５０をインターネットに接続する。
【００５３】
通信情報送信部４５は、コンテンツ提供者サーバ１０や、企業サーバ２０，３０、携帯電話５０，６０との間でコンテンツの送受信をおこなった場合に、そのコンテンツの送受信に係る情報を通信情報管理装置７０に送信する。
【００５４】
制御部４６は、アクセスポイント装置４０を全体制御する制御部であり、各機能部間のデータの授受を司る。
【００５５】
また、携帯電話５０は、通信処理部５１、記憶部５２、通信可否照会部５４、差分圧縮処理部５５、通信情報送信部５６および制御部５７を有する。なお、携帯電話６０も同様の構成となるので、ここでは各機能部の図示を省略する。
【００５６】
通信処理部５１は、通信情報管理装置７０との間で公衆無線通信をおこない、アクセスポイント装置４０との間で近距離無線通信をおこない、また、他の携帯電話６０との間でピアツーピア通信をおこなう処理部である。
【００５７】
記憶部５２は、メモリなどの記憶デバイスであり、アクセスポイント装置４０や他の携帯電話６０から受信したコンテンツなどのデータを記憶する。
【００５８】
通信可否照会部５４は、アクセスポイント装置４０にコンテンツを送信する場合、あるいは、他の携帯電話６０にコンテンツを送信する場合に、送信の可否を通信情報管理装置７０に照会する。
【００５９】
差分圧縮処理部５５は、携帯電話５０がインターネットなどからダウンロードしたコンテンツの一部のみを変更し、そのコンテンツをアップロードする場合に、変更部分のみをアップロードする処理部である。この変更部分を受信した企業サーバ２０，３０では、変更部分と元のコンテンツとから、完全な形でのコンテンツを作成する。
【００６０】
制御部５６は、携帯電話５０を全体制御する制御部であり、各機能部間のデータの授受を司る。
【００６１】
また、通信情報管理装置７０は、通信処理部７１、記憶部７２、通信可否判定部７７、課金処理部７８および制御部７９を有する。
【００６２】
通信処理部７１は、コンテンツ提供者サーバ１０や企業サーバ２０，３０、アクセスポイント装置４０とインターネットを介して通信をおこなうとともに、携帯電話５０，６０との間で公衆無線により通信をおこなう処理部である。
【００６３】
記憶部７２は、ハードディスク装置などの記憶デバイスであり、契約者データ７３、契約プロバイダデータ７４、コンテンツ提供者データ７５およびコンテンツ７７などのデータを記憶している。
【００６４】
契約者データ７３は、キャリアとの間で携帯電話５０，６０の通信サービスの契約をおこなった契約者に係る情報を記憶したものである。図３は、図２に示した契約者データ７３の一例を示す図である。
【００６５】
図３に示すように、この契約者データ７３には、契約端末名、ＩＤ、パスワードおよび課金情報のデータが記憶されている。契約端末名は、携帯電話５０，６０の端末名である。ＩＤは、各携帯電話５０，６０に割り当てられた電話番号である。
【００６６】
パスワードは、携帯電話５０，６０が通信情報管理装置７０にアクセスして、課金情報などを参照する際に照合をおこなうためのパスワードである。課金情報は、各携帯電話５０，６０に課金された金額の情報である。
【００６７】
また、契約プロバイダデータ７４は、キャリアとの間で通信サービスの契約をおこない、アクセスポイント装置４０を設置したインターネットプロバイダに係る情報を記憶したものである。図４は、図２に示した契約プロバイダデータ７４の一例を示す図である。
【００６８】
図４に示すように、この契約プロバイダデータ７４には、契約プロバイダ名、ＩＤ、パスワードおよび課金情報のデータが記憶されている。契約プロバイダ名は、アクセスポイント装置４０を設置したインターネットプロバイダの名称である。
【００６９】
ＩＤは、インターネットプロバイダのＩＰアドレスである。パスワードは、インターネットプロバイダが通信情報管理装置７０にアクセスして、課金情報などを参照する際に照合をおこなうためのパスワードである。課金情報は、各インターネットプロバイダに課金された金額の情報である。
【００７０】
また、コンテンツ提供者データ７５は、コンテンツを携帯電話５０，６０に提供するコンテンツ提供者に係る情報を記憶したものである。具体的には、コンテンツ提供者サーバを特定するＩＰアドレスや、コンテンツ提供者に課金される課金情報などのデータを記憶している。
【００７１】
コンテンツ７６は、携帯電話５０，６０に配信するコンテンツ、あるいは、携帯電話５０，６０から受信したコンテンツである。
【００７２】
図２の説明に戻ると、通信可否判定部７７は、携帯電話５０，６０から他の携帯電話５０，６０、あるいは、アクセスポイント装置４０にコンテンツを送信してよいか否かの照会要求を受けた場合に、契約者データ７３、あるいは、契約プロバイダデータ７４を参照して、コンテンツの送信先が契約済であるか否かを判定し、契約済である場合に、コンテンツの送信許可を返送する。
【００７３】
課金処理部７８は、アクセスポイント装置４０、あるいは、携帯電話５０，６０からコンテンツの送信完了メッセージを受信した場合に、コンテンツ提供者サーバ１０、アクセスポイント装置４０、あるいは、携帯電話５０，６０に課金する処理部である。
【００７４】
制御部７９は、通信情報管理装置７０を全体制御する制御部であり、各機能部間のデータの授受を司る。
【００７５】
つぎに、アクセスポイント装置４０がおこなうコンテンツ転送処理の処理手順について説明する。図５は、アクセスポイント装置４０がおこなうコンテンツ転送処理の処理手順を示すフローチャートである。
【００７６】
まず、アクセスポイント装置４０のインターネット接続処理部４４は、携帯電話５０，６０からユーザＩＤやパスワードなどの情報を含んだインターネットへの接続要求を受け付ける（ステップＳ１０１）。そして、インターネット接続処理部４４は、携帯電話５０，６０のインターネットへの接続処理を実行する（ステップＳ１０２）。
【００７７】
具体的には、インターネット接続処理部４４は、携帯電話５０，６０から受け付けたユーザＩＤやパスワードの情報を認証サーバに送信し、認証結果を認証サーバから待ち受ける。そして、インターネット接続処理部４４は、ユーザＩＤやパスワードの認証が成功した場合にのみ、携帯電話５０，６０をインターネットに接続させる。
【００７８】
続いて、アクセスポイント装置４０の通信処理部４１は、インターネット経由でコンテンツ提供者サーバ１０や企業サーバ２０，３０により送信されたコンテンツを携帯電話５０，６０に転送する。あるいは、通信処理部４１は、携帯電話５０，６０から送信されたコンテンツを、インターネットを介して企業サーバ２０，３０に転送する（ステップＳ１０３）。
【００７９】
そして、通信情報送信部４５は、企業サーバ２０，３０、あるいは、携帯電話５０，６０にコンテンツを送信した場合に、企業サーバ２０，３０、あるいは、携帯電話５０，６０からコンテンツの受信が完了したことを示すメッセージを受信する（ステップＳ１０４）。
【００８０】
その後、通信情報送信部４５は、コンテンツの転送が完了したことを示す情報を通信情報管理装置７０に送信し（ステップＳ１０５）、このコンテンツ転送処理を終了する。通信情報管理装置７０は、この情報を基にして、アクセスポイント装置４０を管理するインターネットプロバイダにコンテンツの転送に対する対価を付与する。
【００８１】
つぎに、携帯電話５０がおこなうコンテンツの送信処理について説明する。図６は、携帯電話５０がおこなうコンテンツの送信処理の処理手順を示すフローチャートである。
【００８２】
まず、携帯電話５０の通信処理部５１は、コンテンツを他の携帯電話６０に、あるいは、アクセスポイント装置４０を介して企業サーバ２０，３０に送信するよう要求する送信要求を他の携帯電話６０から受信する（ステップＳ２０１）。そして、通信可否照会部５４は、通信情報管理装置７０に対して、コンテンツの送信可否を問い合わせる（ステップＳ２０２）。
【００８３】
続いて、通信可否照会部５４は、通信情報管理装置７０から送信可否の判定結果の情報を受信し、送信が可であるか否かを調べる（ステップＳ２０３）。そして、送信が不可である場合には（ステップＳ２０３，Ｎｏ）、通信可否照会部５４は、他の携帯電話６０に対して送信不可メッセージを送信する（ステップＳ２０４）。
【００８４】
送信が可である場合には（ステップＳ２０４，Ｙｅｓ）、通信処理部５１は、コンテンツを他の携帯電話６０に、あるいは、アクセスポイント装置４０を介して企業サーバ２０，３０に送信し（ステップＳ２０５）、他の携帯電話６０、あるいは、企業サーバ２０，３０からコンテンツの受信が完了したことを示すメッセージの受信をおこなう（ステップＳ２０６）。
【００８５】
その後、通信情報送信部５６は、通信情報管理装置７０に送信が完了したことを示すメッセージを送信し（ステップＳ２０７）、このコンテンツの送信処理を終了する。通信情報管理装置７０は、このメッセージを受信した場合に、コンテンツの送信に対する対価として携帯電話５０の契約者に対してマイナス課金をおこなう。
【００８６】
なお、ここでは、他の携帯電話６０からコンテンツの送信要求を受け付けた場合にコンテンツを送信することとしているが、これに限定されず、携帯電話５０が携帯電話６０にコンテンツの提供を申し出ることとしてもよい。
【００８７】
つぎに、通信情報管理装置７０がおこなう通信情報管理処理について説明する。図７は、通信情報管理装置７０がおこなう通信情報管理処理の処理手順を示すフローチャートである。
【００８８】
まず、通信情報管理装置７０の通信処理部７１は、携帯電話５０からアクセスポイント装置４０、あるいは、他の携帯電話６０へのコンテンツの送信可否の照会要求を受信する（ステップＳ３０１）。
【００８９】
そして、通信可否判定部７７は、コンテンツの送信先であるアクセスポイント装置４０を有するインターネットプロバイダ、あるいは、他の携帯電話６０の所有者が契約加入済であるか否かを、契約者データ７３または契約プロバイダデータ７４を参照して調べる（ステップＳ３０２）。
【００９０】
送信先が契約加入済でない場合には（ステップＳ３０２，Ｎｏ）、通信可否判定部７７は、コンテンツの送信可否の照会要求を送信した携帯電話５０にコンテンツの送信不許可メッセージを送信し（ステップＳ３０３）、この通信情報管理処理を終了する。
【００９１】
送信先が契約加入済である場合には（ステップＳ３０２，Ｎｏ）、通信可否判定部７６は、コンテンツの送信可否の照会要求を送信した携帯電話５０にコンテンツの送信不許可メッセージを送信する（ステップＳ３０４）。
【００９２】
その後、通信処理部７１は、携帯電話５０からコンテンツの送信が完了したことを示すメッセージを受信する（ステップＳ３０５）。そして、課金処理部７８は、コンテンツを送信した対価として、携帯電話５０の契約者に対してマイナス課金をおこない、契約者データ７３の課金情報を更新する処理を実行し（ステップＳ３０６）、この通信情報管理処理を終了する。
【００９３】
なお、ここでは、キャリアと通信サービスの契約を結んだ携帯電話５０と携帯電話６０との間で通信をおこなう場合を示したが、２つの携帯電話間の通信を、キャリアと通信サービスの契約を結んだ他の携帯電話が中継することとしてもよい。
【００９４】
通信を中継する携帯電話は、コンテンツを送信する送信元の携帯電話が決定してもよいし、通信情報管理装置７０が決定することとしてもよい。コンテンツの送信元の携帯電話が決定する場合には、まず。通信情報管理装置７０から中継する携帯電話の探索許可を受ける。
【００９５】
そして、コンテンツの送信元の携帯電話は、携帯電話の１つに中継用の携帯電話として機能するように依頼する。その依頼を受けた携帯電話は、コンテンツの送信先の携帯電話との間で通信を試みる。
【００９６】
通信が成功し、コンテンツの送信先の携帯電話から中継の了承を得ると、中継依頼を受けた携帯電話は、コンテンツの送信元の携帯電話に中継が可能であることを通知する。そして、コンテンツの送信元の携帯電話は、通信情報管理装置７０に対して中継用の携帯電話が決定したことを通知する。
【００９７】
また、通信を中継する携帯電話を通信情報管理装置７０が決定する場合には、コンテンツの送信元の携帯電話は、まず、通信情報管理装置７０に通信を中継する携帯電話の決定を依頼する。
【００９８】
そして、通信情報管理装置７０は、中継用の携帯電話から中継の受諾を得るとともに、コンテンツの送信先の携帯電話に中継用の携帯電話を介した通信の了承をとる。そして、通信情報管理装置７０は、コンテンツの送信元の携帯電話に中継用の携帯電話を介して、コンテンツの送信先の携帯電話と通信することが可能であることを通知する。
【００９９】
上記実施例で説明した各種の処理は、あらかじめ用意されたプログラムをコンピュータで実行することによって実現することができる。そこで、以下では、図８から図１０を用いて、上記各種処理を実現するプログラムを実行するコンピュータの一例について説明する。
【０１００】
図８は、図１に示したアクセスポイント装置４０となるコンピュータのハードウェア構成を示す図である。
【０１０１】
このコンピュータは、ユーザからの入力を受け付ける入力装置１００、アクセスポイント装置４０の状態を表示する表示装置１０１、コンテンツ１０３を一時的に記憶するＲＡＭ（Random  Access  Memory）１０２、インターネットを介してコンテンツ提供者サーバ１０、企業サーバ２０，３０と通信をおこない、また、アンテナ１０５を用いて近距離無線通信により携帯電話５０，６０と通信をおこなう通信インターフェース１０４、ＣＰＵ（Central  Processing  Unit）１０６および中継プログラム１０９を記憶したＲＯＭ（Read  Only  Memory）１０８をバス１１０で接続して構成される。
【０１０２】
ここで、中継プログラム１０９は、アクセスポイント装置４０の各機能部と同様の機能を発揮するプログラムである。そして、ＣＰＵ１０６が、中継プログラム１０９をＲＯＭ１０８から読み出して実行することにより、中継プロセス１０７として機能するようになる。
【０１０３】
図９は、図１に示した携帯電話５０，６０となるコンピュータのハードウェア構成を示す図である。
【０１０４】
このコンピュータは、ユーザからのデータの入力を受け付ける入力装置２００、表示装置２０１、ＲＡＭ２０２、アンテナ２０５を用いた近距離無線通信によりアクセスポイント装置４０と通信をおこない、公衆無線通信により通信情報管理装置７０と通信をおこない、また、他の携帯電話５０，６０と通信をおこなう通信インターフェース２０４、ＣＰＵ２０６およびフラッシュメモリ２０８をバス２１１で接続して構成される。
【０１０５】
そして、フラッシュメモリ２０８には、携帯電話５０，６０の機能と同様の機能を発揮するプログラム、つまり、図９に示す無線通信プログラム２１０が記憶されている。そして、ＣＰＵ２０６が、無線通信プログラム２１０をフラッシュメモリ２０８から読み出して実行することにより、無線通信プロセス２０７として機能するようになる。この無線通信プロセス２０７が、携帯電話５０，６０の各機能部の機能に対応する。
【０１０６】
また、フラッシュメモリ２０８には、コンテンツ２０９が記憶される。このコンテンツ２０９は、図２に示した記憶部５２に記憶されるコンテンツ５３に対応する。そして、ＣＰＵ２０６は、コンテンツ２０９をフラッシュメモリ２０８に記憶するとともに、フラッシュメモリ２０８からコンテンツ２０９を読み出してＲＡＭ２０２に格納し、ＲＡＭ２０２に格納されたコンテンツ２０３を用いて各種処理を実行する。
【０１０７】
図１０は、図１に示した通信情報管理装置７０となるコンピュータのハードウェア構成を示す図である。
【０１０８】
このコンピュータは、ユーザからのデータの入力を受け付ける入力装置３００、表示装置３０１、ＲＡＭ３０２、ＲＯＭ３０７、各種プログラムを記録した記録媒体からプログラムを読み取る媒体読取装置３０８、インターネットを介してアクセスポイント装置４０やコンテンツ提供者サーバ１０などと通信をおこない、また、アンテナ３１０を用いて携帯電話５０，６０と無線通信をおこなう通信インターフェース３０９、ＣＰＵ３１１およびＨＤＤ（Hard  Disk  Drive）３１３をバス３１９で接続して構成される。
【０１０９】
そして、ＨＤＤ３１３には、通信情報管理装置７０の機能と同様の機能を発揮するプログラム、つまり、図１０に示す通信情報管理プログラム３１８が記憶されている。そして、ＣＰＵ３１１が、通信情報管理プログラム３１８をＨＤＤ３１３から読み出して実行することにより、通信情報管理プロセス３１２として機能するようになる。この通信情報管理プロセス３１２が、通信情報管理装置７０の各機能部に対応する。
【０１１０】
また、ＨＤＤ３１３には、契約者データ３１４、契約プロバイダデータ３１５、コンテンツ提供者データ３１６、コンテンツ３１７が記憶される。契約者データ３１４、契約プロバイダデータ３１５、コンテンツ提供者データ３１６、コンテンツ３１７は、図２に示した記憶部７２に記憶される契約者データ７３、契約プロバイダデータ７４、コンテンツ提供者データ７５、コンテンツ７６にそれぞれ対応する。
【０１１１】
そして、ＣＰＵ３１１は、契約者データ３１４、契約プロバイダデータ３１５、コンテンツ提供者データ３１６、コンテンツ３１７をＨＤＤ３１３に記憶するとともに、それらのデータをＨＤＤ３１３から読み出してＲＡＭ３０２に格納し、ＲＡＭ３０２に格納された契約者データ３０３、契約プロバイダデータ３０４、コンテンツ提供者データ３０５、コンテンツ３０６を用いて各種処理を実行する。
【０１１２】
上述してきたように、本実施例では、携帯電話５０，６０とアクセスポイント装置４０との間においてデータ通信をおこない、あるいは、通信情報管理装置７０が、携帯電話５０，６０間の通信の可否を判定し、通信が可であると判定された場合に携帯電話５０，６０間においてデータ通信をおこない、データ通信をおこなった場合に、通信情報管理装置７０が、当該データ通信に係る情報を記憶し、記憶した情報に基づいて、携帯電話５０，６０あるいはアクセスポイント装置４０がおこなったデータ通信に対する対価の付与をおこなうこととしたので、データを特定の装置間でのみ流通させることのできる信頼性の高いサービスを、当該サービスを提供する事業者の利益を考慮しつつ、実現することができる。
【０１１３】
さて、これまで本発明の実施例について説明したが、本発明は上述した実施例以外にも、特許請求の範囲に記載した技術的思想の範囲内において種々の異なる実施例にて実施されてもよいものである。
【０１１４】
たとえば、本実施例では、ピアツーピア通信をおこなう無線通信端末として携帯電話を用いることとしたが、無線通信機能を有するＰＤＡ（Personal  Digital  Assistance）やパーソナルコンピュータなどの他の無線通信端末を用いることとしてもよい。
【０１１５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【０１１６】
この他、上記文書中や図面中で示した処理手順、制御手順、具体的名称、各種のデータやパラメータを含む情報については、特記する場合を除いて任意に変更することができる。
【０１１７】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１８】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１１９】
以上のように、本発明にかかる通信情報管理方法、通信情報管理装置、無線通信装置、中継装置、通信情報管理プログラム、無線通信プログラムおよび中継プログラムは、データを特定の装置間でのみ流通させることのできる信頼性の高いサービスを、当該サービスを提供する事業者の利益を考慮しつつ、実現することが必要な通信システムに有用である。
【図面の簡単な説明】
【０１２０】
【図１】図１は、本発明に係る通信情報管理システムの概念を説明する図である。
【図２】図２は、図１に示した通信情報管理システムの機能構成を示す図である。
【図３】図３は、図２に示した契約者データ７３の一例を示す図である。
【図４】図４は、図２に示した契約プロバイダデータ７４の一例を示す図である。
【図５】図５は、アクセスポイント装置４０がおこなうコンテンツ転送処理の処理手順を示すフローチャートである。
【図６】図６は、携帯電話５０がおこなうコンテンツの送信処理の処理手順を示すフローチャートである。
【図７】図７は、通信情報管理装置７０がおこなう通信情報管理処理の処理手順を示すフローチャートである。
【図８】図８は、図１に示したアクセスポイント装置４０となるコンピュータのハードウェア構成を示す図である。
【図９】図９は、図１に示した携帯電話５０，６０となるコンピュータのハードウェア構成を示す図である。
【図１０】図１０は、図１に示した通信情報管理装置７０となるコンピュータのハードウェア構成を示す図である。
【符号の説明】
【０１２１】
１０    コンテンツ提供者サーバ通信情報管理
２０，３０    企業サーバ
４０    アクセスポイント装置
４１    通信処理部
４２    記憶部
４３    コンテンツ
４４    インターネット接続処理部
４５    通信情報送信部
４６    制御部
５０，６０    携帯電話
５１    通信処理部
５２    記憶部
５３    コンテンツ
５４    通信可否照会部
５５    差分圧縮処理部
５６    通信情報送信部
５７    制御部
７０    通信情報管理装置
７１    通信処理部
７２    記憶部
７３    契約者データ
７４    契約プロバイダデータ
７５    コンテンツ提供者データ
７６    コンテンツ
７７    通信可否判定部
７８    課金処理部
７９    制御部
【国際調査報告】
2006098037.tif 000012
2006098037.tif 000013
2006098037.tif 000014
2006098037.tif 000015
2006098037.tif 000016
2006098037.tif 000017